(57)【特許請求の範囲】
【請求項１】
形鋼を使用した造営材の水平突起部に係止せしめる既存の吊り金具に装着して、該吊り金具の支持強度を強化する吊り金具用補強金具において、
吊り金具は、吊りボルトを垂直に支持する支持部と、該支持部の上部から水平に延長されて造営材の水平突起部の上に係止する係止部と、支持部の下部から水平に延長されて水平突起部の下面に下から締め付け固定する締付ボルトを装着した圧着部とで側面略コ字状を成し、水平突起部上に当接せしめる左右一対の羽根を係止部に備えた吊り金具であり、
該吊り金具の係止部の外側面を上から囲むように装着し羽根の上面に係止する正面倒コ字状の嵌合体と、該嵌合体を側面から貫通する固定ボルトとを備え、
係止部に開口されている連結孔に重合する固定ボルト連結孔を嵌合体の側面に形成し、該固定ボルト連結孔と連結孔とに固定ボルトを挿通して吊り金具に固定するように構成したことを特徴とする吊り金具用補強金具。
【請求項２】
前記嵌合体は、前記係止部の上面に重ねる天板と、該天板の左右側縁から下方に向けて屈曲された一対の側板とで構成され、前記固定ボルト連結孔は、一方の側板に開穿され前記固定ボルトを挿通せしめる挿通孔と、他方の側板に設けられ固定ボルトをネジ止めするタップ穴とが形成され、前記固定ボルトの締め付けで嵌合体が内部の係止部を圧着するように構成した請求項１記載の吊り金具用補強金具。
【請求項３】
前記嵌合体は、前記側板の各前後側縁から外側に向けて屈曲形成された補強片を備え、該補強片の下端部を前記羽根の上面に係止するように構成した請求項２記載の吊り金具用補強金具。
【発明の詳細な説明】
【技術分野】
【０００１】
本発明は、地震時の繰り返し揺れを受けても吊り金具の変形を防止することができる吊り金具用補強金具に関するものである。
【背景技術】
【０００２】
当出願人は、特許文献１に記載の如く、形鋼に装着した吊り金具が、地震等の振動でも外れないように装着する吊り金具用耐震補助具を先に提案している。この補助具は吊りボルト支持用の吊り金具に装着するもので、この補助具を装着する吊り金具は形鋼フランジの水平突起部に係止する略コ字状の開口部と、この開口部内の水平突起部を下から締め付け固定する締付ボルトとを有するタイプの吊り金具に装着するものである。
【０００３】
特許文献１の補助具の構成は、吊り金具の側面に係止する平面略Ｕ字形状を成し吊り金具の開口方向に延長された係止杆体と、形鋼に連結する固定板体とを備えたものである。この補助具を吊り金具に装着することにより、地震等で、吊り金具の締付ボルトが緩んだとしても、補助金具が吊り金具を支持しているので、吊り金具の脱落を防止することができる。
【０００４】
また、特許文献２に、羽根を備えたタイプの吊り金具を補強する補助具が記載されている。この羽根は、吊り金具の左右側面に一対備えられており、形鋼のフランジに当接させることで、吊り金具に対する左右への支持強度を高める効果がある。特許文献２の補助具では、このような羽根を備えた吊り金具を補強する手段として、前記特許文献１にて使用している平面略Ｕ字形状の係止杆体に替えて長ボルトを使用したものである。
【先行技術文献】
【特許文献】
【０００５】
【特許文献１】特許第２７４７６６７号公報
【特許文献２】特開２０１１-１６３０７８号公報
【発明の概要】
【発明が解決しようとする課題】
【０００６】
特許文献１や特許文献２に記載の補助金具によると、いずれも、係止杆体や長ボルトの長手方向に沿った強化が可能になり、吊り金具の開口部から形鋼のフランジが外れる方向への吊り金具の移動を防止することはできる。ところが、先の東日本大震災により、これら当初の予想に反する方向に思わぬ脆弱性があることが判明した。
【０００７】
すなわち、吊り金具の中でも、特許文献２に記載されている羽根を備えたタイプでは、形鋼のフランジに当接する羽根を左右側面に備えているので、この左右方向への支持強度は特に補強しなくても十分な耐久性があると思われていた。ところが、この羽根を備えたタイプの吊り金具に従来の補助金具を装着したものを震災後に確認すると、この羽根に変形が生じ、フランジと羽根との間に隙間が開いているものが確認されている。これは、羽根を備えたタイプの吊り金具に対し、左右の羽根方向に予想を超えた振動や荷重を受けたことにより、羽根に変形が生じたものである。このように羽根に変形が生じ、フランジとの当接面に隙間が生じている吊り金具は、既にフランジに対する締め付け保持力が完全に失われており、更に余震等が加わると簡単に外れてしまう危険性がある。
【０００８】
そこで、本発明は上述の課題を解消すべく創出されたもので、羽根を有するタイプの吊り金具に装着することで、吊り金具の左右方向に加わる荷重や振動に対する耐久性を強化して羽根の変形を防止し、しかも、長ボルトを使用する従来型の補強金具と併用することが可能な吊り金具用補強金具の提供を目的とするものである。
【課題を解決するための手段】
【０００９】
上述の目的を達成すべく本発明における第１の手段は、形鋼を使用した造営材の水平突起部Ｐに係止せしめる既存の吊り金具１０に装着して、該吊り金具１０の支持強度を強化する吊り金具用補強金具において、
吊り金具１０は、吊りボルトＱを垂直に支持する支持部１１と、該支持部１１の上部から水平に延長されて造営材の水平突起部Ｐの上に係止する係止部１２と、支持部１１の下部から水平に延長されて水平突起部Ｐの下面に下から締め付け固定する締付ボルト１５を装着した圧着部１３とで側面略コ字状を成し、水平突起部Ｐ上に当接せしめる左右一対の羽根１４を係止部１２に備えた吊り金具１０であり、
該吊り金具１０の係止部１２の外側面を上から囲むように装着し羽根１４の上面に係止する正面倒コ字状の嵌合体１と、該嵌合体１を側面から貫通する固定ボルト２とを備え、
係止部１２に開口されている連結孔１６に重合する固定ボルト連結孔３を嵌合体１の側面に形成し、該固定ボルト連結孔３と連結孔１６とに固定ボルト２を挿通して吊り金具１０に固定するように構成したことにある。
【００１０】
第２の手段において、前記嵌合体１は、前記係止部１２の上面に重ねる天板１Ａと、該天板１Ａの左右側縁から下方に向けて屈曲された一対の側板１Ｂとで構成され、前記固定ボルト連結孔３は、一方の側板１Ｂに開穿され前記固定ボルト２を挿通せしめる挿通孔３Ａと、他方の側板１Ｂに設けられ固定ボルト２をネジ止めするタップ穴３Ｂとが形成され、前記固定ボルト２の締め付けで嵌合体１が内部の係止部１２を圧着するように構成したものである。
【００１１】
第３の手段において、前記嵌合体１は、前記側板１Ｂの各前後側縁から外側に向けて屈曲形成された補強片１Ｃを備え、該補強片１Ｃの下端部を前記羽根１４の上面に係止するように構成したことにある。
【発明の効果】
【００１２】
本発明の請求項１のごとく、吊り金具１０の係止部１２の外側面を上から囲むように装着し羽根１４の上面に係止する正面倒コ字状の嵌合体１と、該嵌合体１を貫通する固定ボルト２とを備え、係止部１２に開口されている連結孔１６に重合する固定ボルト連結孔３を嵌合体１の側面に形成し、該固定ボルト連結孔３と連結孔１６とに固定ボルト２を挿通して吊り金具１０に固定するように構成したことにより、羽根１４を備えたタイプの吊り金具１０に対して左右方向に加わる荷重や振動に対する耐久性を強化することが可能になったものである。この結果、地震時の繰り返し揺れを受けても吊り金具の変形を防止することができる。
【００１３】
また本発明補強金具を装着する際に、係止部１２に直接装着できる構成であることから、本発明補強金具の使用時に、圧着部１３から支持部１１にかけて装着するタイプの従来の補強金具２０との併用が可能になり、造営材に直交する方向への外れ防止も兼ね備えている。
【００１４】
請求項２のように、嵌合体１は、前記係止部１２の上面に重ねる天板１Ａと、該天板１Ａの左右側縁から下方に屈曲された一対の側板１Ｂとで構成され、固定ボルト連結孔３は、一方の側板１Ｂに開穿され固定ボルト２を挿通せしめる挿通孔３Ａと、他方の側板１Ｂに設けられ固定ボルト２をネジ止めするタップ穴３Ｂとが形成され、固定ボルト２の締め付けで嵌合体１が内部の係止部１２を圧着するように構成したことにより、吊り金具１０の係止部１２の構造を強化することも可能になる。この結果、吊り金具１０の強度を高め、羽根１４の変形防止効果をより強化することができる。
【００１５】
請求項３の如く、嵌合体１は、側板１Ｂの各前後側縁から外側に屈曲形成された補強片１Ｃを備え、該補強片１Ｃの下端部を羽根１４の上面に係止するように構成したことから、側板１Ｂの構造を強化し、側板１Ｂ及び補強片１Ｃにて当接する羽根１４の強度を高めることができる。
【図面の簡単な説明】
【００１６】
【図１】本発明の一実施例を示す使用状態の斜視図である。
【図２】本発明の一実施例を示す使用状態の側面図である。
【図３】本発明の固定ボルト連結孔の一実施例を示す断面図である。
【図４】本発明に併用する従来型補強金具の一実施例を示す斜視図である。
【図５】本発明に併用する従来型補強金具の他の実施例を示す斜視図である。
【発明を実施するための形態】
【００１７】
本発明によると、羽根を有するタイプの吊り金具に装着することで、吊り金具の左右方向に加わる荷重や振動に対する耐久性を強化して羽根の変形を防止し、しかも、長ボルトを使用する従来型の補強金具とも併用することが可能になるなどといった当初の目的を達成した。
【実施例】
【００１８】
以下、本発明の実施例を説明する。本発明補強金具は、形鋼を使用した造営材の水平突起部Ｐに係止せしめる既存の吊り金具１０に装着して羽根の変形を防止するものである。
【００１９】
本発明補強金具を装着する吊り金具１０は、特に羽根１４を備えた吊り金具１０とする（図１参照）。すなわち、この吊り金具１０は、支持部１１、係止部１２、圧着部１３にて側面略コ字状を成している（図２参照）。すなわち、支持部１１は、吊りボルトＱを垂直に支持する部材であり、この上部から水平に延長されて造営材の水平突起部Ｐの上に係止する係止部１２が設けられている。更に、圧着部１３は、支持部１１の下部から水平に延長された部材で、水平突起部Ｐの下面に下から締め付け固定する締付ボルト１５を装着している。そして、係止部１２に左右一対の羽根１４を設け、この羽根１４を水平突起部Ｐの上面に当接させるものである。また、支持部１１や圧着部１３には、予め連結孔１６が形成されており、吊り金具１０の設置状況に応じた他の器具類を連結できるように構成されている。
【００２０】
本発明補強金具は、嵌合体１と固定ボルト２とで構成されている（図１参照）。嵌合体１は、吊り金具１０の係止部１２の外側面を上から囲むように装着する正面倒コ字状を成している（図３参照）。そして、装着時に、嵌合体１の下端部が羽根１４の上面に係止するように設けられている（図１参照）。更に、嵌合体１の側面に固定ボルト連結孔３を開穿している（図２参照）。この固定ボルト連結孔３は、係止部１２に開口されている連結孔１６に重合する位置に合わせて形成されたもので、固定ボルト２を挿通している。
【００２１】
図示の嵌合体１は、係止部１２の上面に重ねる天板１Ａと、該天板１Ａの左右側縁から下方に向けて屈曲された一対の側板１Ｂとで構成されている（図３参照）。更に、この側板１Ｂの各前後側縁から左右に向けて補強片１Ｃを屈曲形成している。この補強片１Ｃは、嵌合体１の強度を高めると共に、補強片１Ｃの下端部にて側板１Ｂと共に、羽根１４の上面に係止するように設けている。
【００２２】
固定ボルト２を挿通する固定ボルト連結孔３は、側板１Ｂの一方に開穿した挿通孔３Ａと、他方の側板１Ｂに設けたタップ穴３Ｂとで構成されている（図３参照）。そして、挿通孔３Ａから挿通した固定ボルト２をタップ穴３Ｂにネジ止めして締め付けると、嵌合体１が内部の係止部１２を圧着するように構成している。すなわち、これらの固定ボルト連結孔３は、吊り金具１０の係止部１２に予め形成されている連結孔１６の位置に合わせて設けたものである（図２参照）。したがって、挿通孔３Ａからタップ穴３Ｂにネジ止めした固定ボルト２を締め付けると、側板１Ｂ相互が締め付けられるので、この側板１Ｂを装着している係止部１２が同時に締め付けられ、係止部１２の強度を高めるものである。また、固定ボルト連結孔３の他の実施例として、タップ穴３Ｂの代わりに固定ナットを使用することも可能である（図示せず）。
【００２３】
本発明補強金具は、単独で使用する他、従来型の補強金具２０と併用することも可能である。本発明補助金具において、従来型の補強金具２０とは、長ボルト２３を使用するタイプの補強金具２０であり、吊り金具１０の圧着部１３から支持部１１にかけて連結する係止金具２１と、各種の造営材に係止する係止板２２とを長ボルト２３で連結する補強金具２０である（図４、５参照）。この補強金具２０では、造営材の種類により、係止板２２の形状を変更する。
【００２４】
図示例の係止金具２１は、平面略コ字状を成したもので、長ボルト２３をネジ止めするネジ孔２１Ｂを屈曲部分に設け、支持部１１の後端部に係止する係止部２１Ａを開放端部に設けたものである（図４、５参照）。一方、係止板２２は、Ｌ形鋼の造営材に係止するタイプの係止板２２と、Ｈ形鋼の造営材に係止するタイプの係止板２２とがある。
【００２５】
図４に示す係止板２２は、Ｌ形鋼を造営材とする場合の水平突起部Ｐに係止するタイプの係止板２２を示している。この係止板２２は、係止板２２の上部に、Ｌ形鋼の上端部に係止する係止片２２Ｃを屈曲形成したものである。図示例では、係止板２２の板面に、高さを変えた貫通孔２２Ｂを形成し、係止片２２Ｃの高さを変更できるものである。この貫通孔２２Ｂを挿通した長ボルト２３は、固定ナット２３Ａで固定されている。
【００２６】
図５に示すタイプの係止板２２は、Ｈ形鋼を造営材とする場合の水平突起部Ｐに係止するタイプの係止板２２を示している。この係止板２２では、水平突起部Ｐを上下で挟む側面コ字状の係止片２２Ｃを形成したものである。図示例では、係止板２２の板面に貫通孔２２Ｂを形成し、この貫通孔２２Ｂを挿通した長ボルト２３を固定ナット２３Ａで固定するものである。更に、上下に一対設けた係止片２２Ｃにより、水平突起部Ｐの上下面を保持するものである。尚、従来型の補強金具２０は、図示例に限られるものではなく、係止金具２１を使用する他の従来型の補強金具２０を併用することも可能である。
【産業上の利用可能性】
【００２７】
本発明補強金具では、主に、造営材の水平突起部Ｐに固定する吊り金具１０に装着するものとして説明しているが、本発明補強金具の装着位置はこの例に限られるものではなく、吊り金具１０を固定可能な位置であればどのような場所でも良く、本発明の利用場所はこの例に限られるものではない。また、本発明は図示例に限定されるものではなく、本発明の要旨を変更しない範囲での設計変更は自由である。
【符号の説明】
【００２８】
Ｐ  水平突起部
Ｑ  吊りボルト
１  嵌合体
１Ａ  天板
１Ｂ  側板
１Ｃ  補強片
２  固定ボルト
３  固定ボルト連結孔
３Ａ  挿通孔
３Ｂ  タップ穴
１０  吊り金具
１１  支持部
１２  係止部
１３  圧着部
１４  羽根
１５  締付ボルト
１６  連結孔
２０  補強金具
２１  係止金具
２１Ａ  係止部
２１Ｂ  ネジ孔
２２  係止板
２２Ａ  係止板
２２Ｂ  貫通孔
２２Ｃ  係止片
２３  長ボルト
２３Ａ  固定ナット
【図１】
0005288317.tif 000002
【図２】
0005288317.tif 000003
【図３】
0005288317.tif 000004
【図４】
0005288317.tif 000005
【図５】
0005288317.tif 000006